(57)【要約】【課題】開き窓を内外いずれからでも全開操作可能とすると共に、室内側の操作手段を小さな操作力で操作可能として小型化を可能とし、設置の制約を少なくした開き窓の開放角度調整器を提供すること。【解決手段】第２ピン９と一体の摺動ブロック１１を框側ブラケット５内で第２ピン９の軸方向に出退摺動可能で、ばね１２で常時、突出方向に押圧付勢させ、この摺動ブロック１１に対して第１カム機構１３と第２カム機構１４とを框側ブラケット５に互いに独立して回動操作可能に装着し、第１カム機構１３を開き窓４の外側から回動操作する外側ハンドル１５と第２カム機構１４を開き窓４の内側から回動操作する内側ハンドル１６とを框側ブラケット５に装着し、第１カム機構１３と第２カム機構１４とは、互いに独立して摺動ブロック１１をばね１２に抗して第２ピン９の軸方向に退入操作可能としてある。【選択図】図１
2011236588.tif 000002
【特許請求の範囲】
【請求項１】
開き窓（４）へ取り付けるための框側ブラケット（５）と、窓枠（２）へ取り付けるための枠側ブラケット（６）と、枠側ブラケット（６）に一端を第１ピン（７）で枢支連結された調整器本体（８）と、該調整器本体（８）に伸縮可能に挿入され、かつ、伸張端でロック可能に装着され、先端を前記框側ブラケット（５）に第２ピン（９）で枢支連結されたアーム（１０）とを有する開き窓の開放角度調整器（１）において、
前記框側ブラケット（５）と前記アーム（１０）との連結を解除可能とするために、前記第２ピン（９）と一体の摺動ブロック（１１）を前記框側ブラケット（５）内で前記第２ピン（９）の軸方向に出退摺動可能に保持させると共に、ばね（１２）で常時、突出方向に押圧付勢させ、この摺動ブロック（１１）の突出方向前面に第１カム機構（１３）を配置し、かつ、前記摺動ブロック（１１）の突出方向側面に第２カム機構（１４）を配置し、前記第１カム機構（１３）と第２カム機構（１４）とを前記框側ブラケット（５）に互いに独立して回動操作可能に装着し、前記第１カム機構（１３）を開き窓（４）の外側から回動操作する外側ハンドル（１５）と前記第２カム機構（１４）を開き窓（４）の内側から回動操作する内側ハンドル（１６）とを前記框側ブラケット（５）に装着し、前記第１カム機構（１３）と第２カム機構（１４）とは、互いに独立して前記摺動ブロック（１１）を前記ばね（１２）に抗して前記第２ピン（９）の軸方向に退入操作可能としてあることを特徴とする開き窓の開放角度調整器。
【請求項２】
前記第１カム機構（１３）を回動操作する外側ハンドル（１５）の回動軸線と、前記第２カム機構（１４）を回動操作する内側ハンドル（１６）の回動軸線とは、前記第２ピン（９）の軸線に直交して配置されていることを特徴とする請求項１に記載の開き窓の開放角度調整器。
【請求項３】
前記内側ハンドル（１６）は、外側ハンドル（１５）よりも小さくされ、着脱可能な保護カバー（１８）で保護されていることを特徴とする請求項１又は２に記載の開き窓の開放角度調整器。
【発明の詳細な説明】
【技術分野】
【０００１】
本発明は、建物の開口部に固定されている窓枠と、この窓枠に縦方向又は横方向のヒンジを介して回転可能に取り付けられている開き窓との間に介在されて開き窓の開放時にこの開き窓を所定の開放角度に保持するための開き窓の開放角度調整器に関するものである。
【背景技術】
【０００２】
従来、この種の開き窓の開放角度調整器は、建物の開口部に固定されている窓枠と、この窓枠に縦方向（又は横方向）のヒンジを介して回転可能に取り付けられている開き窓との間に設置され、通常使用時には、換気用として、開き窓を所定の開放角度に開放し、その状態をロックした状態で使用し、窓を閉めるときは、前記ロックを解除して窓を閉めるように構成されている。
【０００３】
ところが、上記調整器は、開き窓を閉鎖状態から開放するとき、所定の開放角度になるとバネの作用によって自動的にロックが掛かるように構成されているため、開き窓をそれ以上開放させることができない。
そこで、従来、火災時等に消防隊が外部から侵入する際、開き窓を外部から全開させることが必要となるため、調整器の開き窓側の取付ブラケットを外部からのハンドル操作によって開き窓から離脱させるようにしたものが提案されている（例えば、特許文献１，２参照）。
【先行技術文献】
【特許文献】
【０００４】
【特許文献１】特開平５−５９８５９号公報
【特許文献２】実開平５−２１０７３号公報
【発明の概要】
【発明が解決しようとする課題】
【０００５】
しかし、上記提案のものは、調整器の開き窓側の取付ブラケットを室内側から離脱操作することができず、清掃時やメンテナンス時等に不便であった。また、外部からのハンドル操作によって、一旦、取付ブラケットを開き窓から離脱させると、分解して再度組み立て直しが必要となり、そのままで取り付けることができないという不具合もあった。
なお、特許文献２のものの場合は、室内側にも室外側と同様なハンドルを設けることが考えられるが、室内側に室外側と同様なハンドルを連動連結させて取り付けると、室内側のハンドルが開き窓の開閉を妨げてしまう不具合がある。そこで、室内側に取り付けるハンドルを小さくする必要がある。ところが、このように小さいハンドルを取り付けた場合、室内側からの操作時、小さなハンドルで室外側の大きいハンドルを一緒に回動させなければならなくなり、室外側からの操作力に比べて、大きな操作力が必要となり、室内からの操作性が悪いという問題点があった。
【０００６】
本発明は、従来の上記問題点に鑑みて開発されたもので、開き窓を内外いずれからでも全開操作可能とすると共に、室内側の操作手段を小さな操作力で操作可能として小型化を可能とし、設置の制約を少なくした開き窓の開放角度調整器を提供することを目的としている。
【課題を解決するための手段】
【０００７】
前記目的を達成するために本発明は、開き窓へ取り付けるための框側ブラケットと、窓枠へ取り付けるための枠側ブラケットと、枠側ブラケットに一端を第１ピンで枢支連結された調整器本体と、この調整器本体に伸縮可能に挿入され、かつ、伸張端でロック可能に装着され、先端を前記框側ブラケットに第２ピンで枢支連結されたアームとを有する開き窓の開放角度調整器において、
前記框側ブラケットと前記アームとの連結を解除可能とするために、前記第２ピンと一体の摺動ブロックを前記框側ブラケット内で前記第２ピンの軸方向に出退摺動可能に保持させると共に、ばねで常時、突出方向に押圧付勢させ、この摺動ブロックの突出方向前面に第１カム機構を配置し、かつ、前記摺動ブロックの突出方向側面に第２カム機構を配置し、前記第１カム機構と第２カム機構とを前記框側ブラケットに互いに独立して回動操作可能に装着し、前記第１カム機構を開き窓の外側から回動操作する外側ハンドルと前記第２カム機構を開き窓の内側から回動操作する内側ハンドルとを前記框側ブラケットに装着し、前記第１カム機構と第２カム機構とは、互いに独立して前記摺動ブロックを前記ばねに抗して前記第２ピンの軸方向に退入操作可能としてあることを特徴としている。
【０００８】
この構成によれば、内側ハンドルと外側ハンドルとによって、開き窓を内外いずれからでも全開操作可能とすることができる。しかも、摺動ブロックの突出方向前面に第１カム機構を配置し、かつ、前記摺動ブロックの突出方向側面に第２カム機構を配置していることによって、内側ハンドルと外側ハンドルとを互いに独立して回動操作するための構成を巧妙かつコンパクトに構成することができる。また、内側ハンドルと外側ハンドルとを互いに独立して回動操作可能としてあることによって、内側ハンドルの操作力を小さくすることが可能となり、その結果、内側ハンドルを小さくすることが可能となり、この内側ハンドルを設置する制約を少なくすることができる。
【０００９】
前記第１カム機構を回動操作する外側ハンドルの回動軸線と、前記第２カム機構を回動操作する内側ハンドルの回動軸線とは、前記第２ピンの軸線に直交して配置されていることが望ましい。
この構成によれば、外側ハンドルと内側ハンドルとを互いに独立して回動操作可能としているにも拘わらず、外側ハンドルの回動軸線及び内側ハンドルの回動軸線を開き窓の窓面に直交させて操作し易い形態で配置することができる。
【００１０】
前記内側ハンドルは、外側ハンドルよりも小さくされ、着脱可能な保護カバーで保護されていることが望ましい。
この構成によれば、内側ハンドルの設置の制約を少なくすることができ、また、通常の使用時における内側ハンドルの誤操作を防止することができ、清掃時やメンテナンス時等には、保護カバーを外すことにより、内側ハンドルを操作して開き窓を全開させることができ、さらに、保護カバーをプラスチック等の破壊可能な材料で構成しておくことによって、火災発生等の緊急時には、保護カバーを破壊して内側ハンドルを操作し、開き窓を全開することができる。
【発明の効果】
【００１１】
本発明によれば、開き窓を内外いずれからでも全開操作可能とすると共に、室内側の操作手段を小さな操作力で操作可能として小型化を可能とし、設置の制約を少なくした開き窓の開放角度調整器を提供することができる。
【図面の簡単な説明】
【００１２】
【図１】本発明に係る開き窓の開放角度調整器の室内側から見た正面図である。
【図２】本発明に係る開き窓の開放角度調整器の平面図である。
【図３】本発明に係る開き窓の開放角度調整器の端面図である。
【図４】本発明に係る開き窓の開放角度調整器の取付状態の概略平面図である。
【図５】本発明に係る框側ブラケット室内側から見た正面図である。
【図６】本発明に係る框側ブラケットの背面図である。
【図７】本発明に係る框側ブラケットの左側面図である。
【図８】本発明に係る框側ブラケットの底面図である。
【図９】（Ａ）は図６のＡ−Ａ線断面図、（Ｂ）は（Ａ）のＢ−Ｂ線断面図、（Ｃ）は（Ａ）のＣ−Ｃ線断面図である。
【図１０】本発明に係る第１カム機構及び第２カム機構の分解斜視図である。
【図１１】（Ａ）（Ｂ）（Ｃ）は摺動ブロック単体の正面図、左側面図、底面図であり、（Ｄ）は第２ピンの正面図である。
【図１２】（Ａ）（Ｂ）（Ｃ）は第１カム部材単体の正面図、左側面図、底面図である。
【図１３】（Ａ）（Ｂ）（Ｃ）は内側ハンドル単体の正面図、右側面図、背面図であり、（Ｄ）（Ｅ）（Ｆ）は第２カム部材単体の正面図、左側面図、背面図である。
【図１４】（Ａ）は下蓋の平面図、（Ｂ）はその側面図、（Ｃ）は背面蓋の正面図、（Ｄ）はその側面図である。
【図１５】（Ａ）（Ｂ）は補助板の平面図と側面図、（Ｃ）（Ｄ）（Ｅ）は規制板の正面図、平面図、左側面図である。
【発明を実施するための形態】
【００１３】
以下、本発明の実施の形態を図面を参照して説明する。
本発明に係る開き窓の開放角度調整器１は、図４に示すように、建物の開口部に固定されている窓枠２と、この窓枠２に縦方向のヒンジ３を介して回転可能に取り付けられている開き窓４との間に介在されて開き窓４の開放時に該開き窓４を所定の開放角度に保持するためのものである。
【００１４】
上記開き窓の開放角度調整器１は、図１〜図４に示すように、開き窓４へ取り付けるための框側ブラケット５と、窓枠２へ取り付けるための枠側ブラケット６と、枠側ブラケット６に一端を第１ピン７で枢支連結された調整器本体８と、該調整器本体８に伸縮可能に挿入され、かつ、伸張端でロック可能に装着され、先端を前記框側ブラケット５に第２ピン９で枢支連結されたアーム１０とを有している。
【００１５】
本発明においては、前記框側ブラケット５と前記アーム１０との連結を解除可能とするために、図５〜図１０に示すように、前記第２ピン９と一体の摺動ブロック１１を前記框側ブラケット５内で前記第２ピン９の軸方向に出退摺動可能に保持させると共に、ばね１２で常時、突出方向に押圧付勢させ、この摺動ブロック１１の突出方向前面に第１カム機構１３を配置し、かつ、前記摺動ブロック１１の突出方向側面に第２カム機構１４を配置し、前記第１カム機構１３と第２カム機構１４とを前記框側ブラケット５に互いに独立して回動操作可能に装着し、前記第１カム機構１３を開き窓４の外側から回動操作する外側ハンドル１５と前記第２カム機構１４を開き窓４の内側から回動操作する内側ハンドル１６とを前記框側ブラケット５に装着し、前記第１カム機構１３と第２カム機構１４とは、互いに独立して前記摺動ブロック１１を前記ばね１２に抗して前記第２ピン９の軸方向に退入操作可能としてある。
【００１６】
摺動ブロック１１は、図１０、図１１に示すように、角形をなし、正面に略Ｔ字形突部１１ａが形成され、上面（出退方向後面）にばね１２の受け孔１１ｂが形成され、下面（出退方向前面）に第２ピン９の嵌合孔１１ｃが形成されており、この嵌合孔１１ｃに第２ピン９の基部９ａが嵌合固着されている。これによって、第２ピン９は、摺動ブロック１１の下面（出退方向前面）から下方（突出方向）へ突出した状態で一体化されている。
【００１７】
この摺動ブロック１１は、図５〜図９に示すように、框側ブラケット５の角穴５ａ内に第２ピン９を下方（突出方向）に突出させた状態で上下方向（第２ピン９の軸方向）に出退摺動可能に収納されている。この角穴５ａは、上部が上壁５ｂで閉鎖され、下部が開口しており、正面、背面及び左右側面が周壁５ｃで囲まれている。なお、この周壁５ｃには、摺動ブロック１１の摩擦抵抗を軽減するために複数本（図は２本）の突条５ｄが角穴５ａの周方向に間隔を開けて上下方向（出退方向）に形成されている。各突条５ｄの間には溝が形成され、この溝は、グリース溜として利用される。
【００１８】
摺動ブロック１１の上面（出退方向後面）の受け孔１１ｂと角穴５ａの上壁５ｂの内面（下面）との間にはばね１２が配置され、これによって、摺動ブロック１１は、常時、下方（出退方向前方）に押圧付勢されている。
框側ブラケット５の角穴５ａの下部の開口には、図５、図７に示すように、下蓋５ｅがビス止めされており、この下蓋５ｅは、ばね１２により下方へ押圧付勢される摺動ブロック１１の下降端を規定するストッパーとなっている。下蓋５ｅの形状は、図１４（Ａ）（Ｂ）に示すように、長方形の薄板からなり、中央部に第２ピン９の通るピン孔５ｆが形成され、その長手方向両側にビス孔５ｇが形成され、短手方向一側に第１カム機構１３のカム突起１３ａが通過するカム通過用切り欠き凹部５ｈが形成されている。
【００１９】
框側ブラケット５の背面（図６参照）には、第１カム機構１３の第１カム部材１３ｂを回動可能に嵌合する円形窓孔５ｉが形成されている。この円形窓孔５ｉは、角穴５ａの周壁５ｃを貫通して形成されている。
第１カム機構１３の第１カム部材１３ｂは、図１０、図１２に示すように、前記円形窓孔５ｉよりやや小径の円板形状とされ、この円板形状の前面の周方向１箇所にカム突起１３ａが円板の中心軸の方向に突設されたフェースカムであって、中心部に角孔１３ｃが形成され、後面に小径段部１３ｄが形成されている。角孔１３ｃには、図１０に示す外側ハンドル１５の角軸部１５ａが嵌合される。外側ハンドル１５は開き窓４の下桟４ａの室外側の面にブラケット１５ｂを介して取り付けられ、角軸部１５ａは下桟４ａを貫通して室内側に突き出される。
【００２０】
第１カム部材１３ｂの後面の小径段部１３ｄには、図１４（Ｃ）（Ｄ）に示す背面蓋５ｊの円形孔部５ｋが装着され、この背面蓋５ｊは、図６〜図８に示すように、框側ブラケット５の円形窓孔５ｉに背面側（外面側）からビス止めされている。背面蓋５ｊは、図１４（Ｃ）（Ｄ）に示すように、略長方形の薄板からなり、中央部に円形孔部５ｋが形成され、その長手方向両側にビス孔５ｍが形成されている。円形孔部５ｋは、第１カム部材１３ｂの小径段部１３ｄよりやや大径とされ、これによって、第１カム部材１３ｂは、框側ブラケット５の円形窓孔５ｉに回転可能に嵌合され、背面蓋５ｊによって抜け止め保持されている。
【００２１】
上記第１カム部材１３ｂの回転軸線は、框側ブラケット５内に収納された摺動ブロック１１の出退方向に対して直交する方向、即ち、第２ピン９の軸線に直交する方向とされている。
第１カム部材１３ｂのカム突起１３ａは、上記回転軸線を中心として、９０°の角度範囲で外側ハンドル１５により回動操作される。これによりカム突起１３ａは、框側ブラケット５に上下方向（出退方向）に摺動可能に収納されている摺動ブロック１１の下面（出退方向前面）に下蓋５ｅのカム通過用切り欠き凹部５ｈを通過して当接し、ばね１２に抗して第２ピン９を退入させる方向に摺動ブロック１１を押し戻す（押し上げる）動作を行うものである。
【００２２】
框側ブラケット５は、図５〜図８に示すように、取付座５ｎが角穴５ａの背面側で角穴５ａの両側に形成されている。この取付座５ｎは、図１〜図４に示すように、框側ブラケット５を開き窓４の下桟４ａの室内側の面へねじ５ｏによって取り付けるためのものであり、この取付座５ｎには、ねじ５ｏを通す長孔５ｐが形成されている。
框側ブラケット５の室内側正面には、図５、図７〜図９（Ａ）に示すように、第２カム機構１４の第２カム部材１４ａを回転可能に装着するための円形孔５ｑが形成されている。この円形孔５ｑは、角穴５ａの周壁５ｃを内外方向に貫通して形成されている。第２カム部材１４ａは、図１０及び図１３（Ｄ）〜（Ｆ）に示すように、前記円形孔５ｑよりもやや小径の円形柱状をなし、外側端部に内側ハンドル１６の取付凹部１４ｂと取付ねじ孔１４ｃが形成され、内側端部にカム突起１４ｄが形成されている。このカム突起１４ｄは、該２カム部材１４ａの内側端部の中心から径方向外方へ突出させて形成されている。
【００２３】
この第２カム部材１４ａは、内側ハンドル１６を取り付けない状態で框側ブラケット５の角穴５ａ内に前記摺動ブロック１１よりも先に挿入されて円形孔５ｑに内側から外側に向けて嵌合され、この嵌合後、外側端部の取付凹部１４ｂに内側ハンドル１６がねじ１６ａで取り付けられる。
内側ハンドル１６は、図１３（Ａ）〜（Ｃ）に示すように、長片形状の柄部１６ｂを主体とし、この柄部１６ｂの長手方向中央部にねじ挿通孔１６ｃを形成し、このねじ挿通孔１６ｃの周囲に円弧状のフランジ部１６ｄを柄部１６ｂの短手方向両側に張り出させて形成したものである。この柄部１６ｂの長手方向中央部を第２カム部材１４ａの外側端部の取付凹部１４ｂに嵌め込み、ねじ１６をねじ挿通孔１６ｃを通して取付ねじ孔１４ｃにねじ込んで取り付けられている。柄部１６ｂは、第２カム部材１４ａの外側端部において、長手方向を円形柱状に直交させて配置され、かつ、円形柱状の外周から両側に張り出して配置されている。
【００２４】
第２カム部材１４ａの内側端部のカム突起１４ｄは、框側ブラケット５の円形孔５ｑの孔縁よりも径方向外方に張り出して設けられている（図９（Ｃ）参照）。
これにより、第２カム部材１４ａは、框側ブラケット５の室内側正面に形成された円形孔５ｑに回動可能に嵌合保持され、円形孔５ｑの中心軸線を中心として、内側ハンドル１６により、回動操作可能とされている。
【００２５】
第２カム部材１４ａの上記回動軸線は、摺動ブロック１１の出退方向、即ち、第２ピン９の軸方向に直交する方向に設定されている。
第２カム部材１４ａのカム突起１４ｄは、框側ブラケット５の角穴５ａ内に収納されている摺動ブロック１１の正面、即ち、略Ｔ字形突部１１ａを設けてある正面に対向させて組み込まれている。さらに詳細には、上記カム突起１４ｄは、略Ｔ字形突部１１ａの横突部１１ａ１と縦突部１１ａ２との間で前記円形孔５ｑの中心軸線を中心として、９０°の角度範囲で回動可能に組み込まれている。そして、カム突起１４ｄで横突部１１ａ１に当接して摺動ブロック１１をばね１２に抗して第２ピン９の退入方向に押し戻す（押し上げる）動作を行わせるものである。
【００２６】
上記カム突起１４ｄの回動範囲を規制するストッパー５ｒを備えた規制板５ｓが框側ブラケット５の前記円形孔５ｑが形成されている周壁５ｃの内面に嵌め込まれている（図５、図７、図８、図９（Ｃ）、図１０参照）。この規制板５ｓは、図１５（Ｃ）〜（Ｅ）に示すような長方形の薄板形状とされ、長辺の片側に半円形状の切り欠き凹部５ｔが形成され、短辺の両側には、嵌め込み用段部５ｕが形成され、切り欠き凹部５ｔの周囲一部にストッパー５ｒが板厚方向に突設されている。切り欠き凹部５ｔは、第２カム部材１４ａの外径よりやや大径とされ、半円形状に形成されている。上記規制板５ｓを嵌め込む段溝５ｖ（図８参照）が角穴５ａの周壁５ｃに形成されている。この段溝５ｖは、規制板５ｓの嵌め込み用段部５ｕに対応したものとされている。この規制板５ｓの抜け止めは、下蓋５ｅによって行われている。
【００２７】
框側ブラケット５の下面には、第２ピン９の先端を受け入れるピン孔１７ａを備えた補助板１７（図１、図３、図５、図６、図７参照）が固着されている。この補助板１７は、図１５（Ａ）（Ｂ）に示すような略四角形の薄板からなり、中央部にピン孔１７ａが形成され、同図の下辺中央に切り欠き凹部１７ｂが形成され、この切り欠き凹部１７ｂの両側に取付孔１７ｃが形成されている。この取付孔１７ｃは、框側ブラケット５の下面に突設された２本の取付ピン５ｗに対応して設けられており、この取付ピン５ｗに取付孔１７ｃを嵌め込むことで框側ブラケット５に対する補助板１７の位置決めが行われ、この取付ピン５ｗの先端をカシメ加工して固着されている。この補助板１７は、框側ブラケット５の下面に対してアーム１０が挿入できる所定の隙間を形成して固着されている。第２ピン９は、框側ブラケット５の下面と補助板１７との間の隙間に挿入されたアーム１０のピン孔１０ａに貫通状態で挿通され、先端が補助板１７のピン孔１７ａに差し込まれて両持ち状態で保持される。
【００２８】
なお、内側ハンドル１６は、図２に最もよく示すように、外側ハンドル１５よりも小さくされ、着脱可能な保護カバー１８で保護されている。この保護カバー１８は、半透明なプラスチックで構成され、ビス１９で框側ブラケット５の上面に取り付けられている。
本発明に係る開き窓の開放角度調整器１の実施の形態は、以上からなるもので、次にその動作を説明する。
【００２９】
先ず、通常の使用状態では、外側ハンドル１５及び内側ハンドル１６は、水平位置（非解除位置）に保持され、ばね１２で下方（出退方向前方）に押圧付勢されて摺動ブロック１１が第２ピン９を突出させてアーム１０のピン孔１０ａに挿通され、框側ブラケット５とアーム１０とを連結している。この状態で、室内の換気を行うために図４に示すように開き窓４を開放させると、所定の開放角度でアーム１０のロック孔１０ｂ（図１参照）が調整器本体８のロックピン８ａにばね８ｂの作用で嵌合してロックされ、この状態を保持する。開き窓を閉めるときは、調整器本体８のロック解除ボタン８ｃを押圧することにより、ロックピン８ａをばね８ｂに抗して押し下げてアーム１０のロック孔１０ｂから脱出させ、この状態で開き窓４を閉める方向に回動させることにより開き窓４を閉めることができる。
【００３０】
また、清掃時やメンテナンス時等には、保護カバー１８の室内側正面に形成された穴に特殊工具を差し込みカバーを外すことなく内側ハンドル１６を水平位置から９０°回動させて垂直位置（解除位置）とする。これにより、第２カム機構１４の第２カム部材１４ａを図９（Ｃ）の状態から時計方向に９０°回動させることになり、カム突起１４ｄで摺動ブロック１１の略Ｔ字形突部１１ａの横突部１１ａ１をばね１２の押圧力に抗して押し上げ、第２ピン９をアーム１０のピン孔１０ａから抜き出させる。これにより、アーム１０と框側ブラケット５との連結が解除されるため、開き窓４を全開させて清掃やメンテナンスを行うことができる。この場合、内側ハンドル１６と外側ハンドル１５とは、完全に独立しているため、外側ハンドル１５を一緒に回動させる必要が無く、小さな操作力で内側ハンドル１６を回動操作することができる。従って、内側ハンドル１６を外側ハンドル１５よりも小さくすることが可能となる。これにより、内側ハンドル１６の設置の制約を少なくすることができ、開き窓４の開閉操作を妨げることも回避することができる。そして、清掃やメンテナンスが済めば、開き窓４を閉めてアーム１０を框側ブラケット５の下面と補助板１７との間に挿入し、内側ハンドル１６を垂直位置から水平位置に９０°戻すことにより、第２ピン９をアーム１０のピン孔１０ａに挿通させて、アーム１０と框側ブラケット５とを連結しておき、内側ハンドル１６を保護しておくことができる。
【００３１】
次に、火災発生時等の緊急時には、消防隊が開き窓４の外側ハンドル１５を水平位置から９０°回動させて垂直位置（解除位置）とする。これによって、第１カム機構１３の第１カム部材１３ｂが図９（Ｂ）の状態から時計方向に９０°回動させることになり、カム突起１３ａで摺動ブロック１１の下面をばね１２の押圧力に抗して押し上げ、第２ピン９をアーム１０のピン孔１０ａから抜き出させる。これにより、アーム１０と框側ブラケット５との連結が解除されるため、開き窓４を全開させることができる。これによって、室内への消防隊の侵入や室内の人員の救出を可能とすることができる。勿論、内側ハンドル１６を操作してアーム１０と框側ブラケット５との連結を解除させることで前記と同様な動作を行わせることもできる。
【００３２】
本発明の実施形態は、以上からなるものであるが、本発明は、この実施形態にのみ制約されるものではなく、自由に変形して実施することができる。例えば、第１カム機構１３や第２カム機構１４のカム形状は、他の形状としてもよいし、組付構造についても、実施形態に限定されない。
【産業上の利用可能性】
【００３３】
本発明は、開き窓のほか、回転窓、すべり出し窓、外開き窓、突き出し窓、たてすべり出し窓にも利用可能である。
【符号の説明】
【００３４】
１    開き窓の開放角度調整器
２    窓枠
３    ヒンジ
４    開き窓
５    框側ブラケット
６    枠側ブラケット
７    第１ピン
８    調整器本体
９    第２ピン
１０    アーム
１１    摺動ブロック
１２    ばね
１３    第１カム機構
１４    第２カム機構
１５    外側ハンドル
１６    内側ハンドル
１７    補助板
１８    保護カバー
１９    ビス
【図１】
2011236588.tif 000003
【図２】
2011236588.tif 000004
【図３】
2011236588.tif 000005
【図４】
2011236588.tif 000006
【図５】
2011236588.tif 000007
【図６】
2011236588.tif 000008
【図７】
2011236588.tif 000009
【図８】
2011236588.tif 000010
【図９】
2011236588.tif 000011
【図１０】
2011236588.tif 000012
【図１１】
2011236588.tif 000013
【図１２】
2011236588.tif 000014
【図１３】
2011236588.tif 000015
【図１４】
2011236588.tif 000016
【図１５】
2011236588.tif 000017